(57)【特許請求の範囲】
【請求項１】
壁面に沿って床面に設置される壁付収納体の固定構造であって、
天井に係止材を介して固定された天井化粧板の下面に沿って、補助固定板が複数の前記係止材に第一の固定具を介して固定されるとともに、この補助固定板の下面に桟材が第二の固定具を介して固定され、
前記壁付収納体の上部に固定された化粧材が前記桟材に第三の固定具を介して固定されることを特徴とする壁付収納体の固定構造。
【発明の詳細な説明】
【技術分野】
【０００１】
本発明は、収納家具としての壁付収納体の固定構造に関し、詳しくは、壁付収納体が設置される床面が沈んだ場合でも壁付収納体の上部と天井化粧板との間に隙間が生じない技術に関する。
【背景技術】
【０００２】
従来、壁面に沿って壁付収納体を床面に据付ける場合、壁付収納体と天井化粧板との間に隙間が生じるので、その隙間を埋めて見栄えを良くするために、フィラーを呼ばれる隙間材としての化粧材が壁付収納体の上部に設けられる。このとき、天井化粧板と化粧材は接触するが互いが固定されない状態で取付けられていた。
【０００３】
ところが、例えば、壁付収納体を集合住宅等の防音構造床（二重床や直貼り防音床）に設置した場合には、壁付収納体に荷物を載せるとその荷重によって床面が徐々に沈み、天井化粧板と化粧材との間に隙間が発生して見栄えが悪くなるという問題があった。
【０００４】
この問題を解決するため、従来技術として特許文献１に記載の内容が知られている。
【０００５】
特許文献１によれば、図３に示すように、床面２８に据付けられる壁付収納体２２はその上方に上部箱２４を備えている。
【０００６】
壁付収納体２２はボックスタイプの収納間仕切り家具であり、合板等の木質材料製の天板２２ａ、底板２２ｂ、両側板２２ｃ、背板２２ｄによる一面開口の箱体で、この箱体内部に棚板等が適宜固定される。箱体の前側には、木質材料製の扉２３が開閉自在に設けられている。
【０００７】
壁付収納体２２の開口上部には前垂れ板３１が壁付収納体２２の全巾に亘って設けられ、扉２３及び上部箱２４の扉２５が前垂れ板３１の表面３１ａを覆って当接する。ここで、上部箱２４の扉２５は前垂れ板３１に対して覆い代Ｒで当接する。
【０００８】
壁付収納体２２の天板２２ａの上部には上部箱２４を上下動自在に押し上げてその高さを調節するための調節用部材２７が天板２２ａの４隅にそれぞれ設けられる。
【０００９】
この壁付収納体２２の構成であれば、調節用部材２７によって押し上げられた上部箱２４の上面２４ａが天井化粧板２９に当接するので、天井化粧板２９と化粧材との隙間Ｒ１を塞ぐことができる。
【特許文献１】特開２０００−１２５９５２号公報
【発明の開示】
【発明が解決しようとする課題】
【００１０】
ところが、据付け段階で天井化粧板２９と化粧材の隙間Ｒ１が塞がれていても、実際に壁付収納体２２に荷物を載せると床面２８が沈んで隙間Ｒ１が発生するという問題があった。
【００１１】
この場合、調節用部材２７を再度押し上げて隙間Ｒ１を塞ぐことになるが、手間が掛かるという問題があった。さらに、調節用部材２７を再度押し上げた際に、扉２５と前垂れ板３１との覆い代Ｒに余裕がない場合にはこの部分で隙間が生じるという問題があった。
【００１２】
そこで、本発明はかかる従来技術の問題に鑑みなされたものであって、壁付収納体に掛かる荷重によって床面及び壁付収納体が沈んでも、天井化粧板と化粧材との間に隙間が発生せず外観を損ねることなく品質向上できる壁付収納体の固定構造を提供することを目的とする。
【課題を解決するための手段】
【００１３】
請求項１の発明は、壁面に沿って床面に設置される壁付収納体の固定構造であって、天井に係止材を介して固定された天井化粧板の下面に沿って、補助固定板が複数の前記係止材に第一の固定具を介して固定されるとともに、この補助固定板の下面に桟材が第二の固定具を介して固定され、前記壁付収納体の上部に固定された化粧材が前記桟材に第三の固定具を介して固定されることを特徴としている。
【発明の効果】
【００１４】
請求項１記載の発明によれば、壁面に沿って床面に設置される壁付収納体の固定構造であって、天井に係止材を介して固定された天井化粧板の下面に沿って、補助固定板が複数の前記係止材に第一の固定具を介して固定されるとともに、この補助固定板の下面に桟材が第二の固定具を介して固定されるので、桟材を間接的に天井に強固に固定することができる。
【００１５】
そして、前記壁付収納体の上部に固定された化粧材が前記桟材に第三の固定具を介して固定されるため、前記壁付収納体は間接的に天井に強固に固定することができる。このため、壁付収納体に掛かる荷重によって床面及び壁付収納体が沈んでも、天井化粧板と化粧材との間に隙間が発生しないので、外観を損ねず品質向上することができる。
【発明を実施するための最良の形態】
【００１６】
＜本発明の実施形態＞
以下に、本発明の実施形態を図１〜図２に基づいて説明する。
【００１７】
＜壁付収納体の固定構造の構成＞
図１、図２に示すように、収納家具としての壁付収納体１は壁面２に沿って床面３に設置されるが、壁面２には固定されない状態である。壁面２に固定しないことにより、振動等がビス等の固定具を通して壁面に伝わるのを避けることができる。
【００１８】
壁付収納体１の上方には、係止材５が天井４に固定され、この係止材５を介して天井化粧板６が固定される。ここで、天井４の下方にはダクトや電線の敷設のためのスペースＱが設けられるので、係止材５は天井４に固定された吊下材５ａに天井野縁５ｂが固着される構造である。床面３と建物のスラブとの間にもスペースＱ１が設けられる。なお、スペースＱ１の領域が防音床の裏面に設けられるクッション材領域となる場合もある。
【００１９】
この天井化粧板６の下面６ａに沿って補助固定板７がネジ等の第一の固定具８ａを介して複数の前記係止材５の天井野縁５ｂに固定される。
【００２０】
さらに、この補助固定板７の下面７ａに桟材１０が第二の固定具８ｂを介して固定され、前記壁付収納体１の上部１ａにネジ等の固定具１２で固定された化粧材１１が前記桟材１０にネジ等の第三の固定具８ｃを介して固定される。このため、前記壁付収納体１は間接的に天井４に確実に固定される。
【００２１】
壁付収納体１は合板等の木質材料製で形成され、正面が開放されたボックス形状であり、上下左右方向に複数の区画１５が設けられ、例えば、中央の区画１５ａには大型ディスプレイを嵌込み、その他の区画１５には図示しないビデオ、オーディオ機器等が配置される。
【００２２】
このため、壁付収納体１の各機器等を含む総荷重Ｐが矢印のように床面３に対して垂直に掛かる状態になっている。
【００２３】
＜壁付収納体の固定構造の作用＞
壁付収納体１の総荷重Ｐは、順番に化粧材１１、桟材１０、補助固定板７、天井化粧板６、複数の係止材５を介して荷重Ｐ１として天井４で支えられるとともに、床面３から上方に向かって反力Ｐ２として支えられている。荷重バランスはＰ＝Ｐ１＋Ｐ２で表される。
【００２４】
このため、壁付収納体１の各機器等を含む総荷重Ｐによって床面３が撓んで壁付収納体１が下方に沈んでも、Ｐ１＝Ｐ−Ｐ２の荷重を天井４で確実に支えることができる。
【００２５】
ここで、上記のように、天井化粧板６の下面６ａに沿って補助固定板７がネジ等の第一の固定具８ａを介して複数の前記係止材５の天井野縁５ｂに固定され、複数の天井野縁５ｂは吊下材５ａを介して天井４に確実に固定されているので、荷重Ｐ１を天井４によって確実に支持することができる。
【００２６】
このため、壁付収納体１の化粧材１１と天井化粧板６（或いは補助固定板７）との間に隙間が発生せず外観を損ねないため品質向上できる。
【００２７】
以上、本発明の実施形態を図面に基づいて説明したが、上記の実施例はいずれも本発明の一例を示したものであり、本発明はこれらに限定されるべきでないということは言うまでもない。
【００２８】
例えば、天井４の下方にダクトや電線の敷設のためのスペースＱが不要の場合には、吊下材５ａは不要で天井野縁５ｂが天井４に直接固定される。
【図面の簡単な説明】
【００２９】
【図１】本発明の実施形態における、壁付収納体１が壁面２に沿って床面３に設置される状態を示す一部透視側面図である。
【図２】本発明の実施形態における、図１のＡ−Ａ矢視図である。
【図３】従来の、壁付収納体２２がその上方に上部箱２４を備えて床面２８に据付けられる状態を示す側面図である。
【符号の説明】
【００３０】
１  壁付収納体
１ａ  上部
２  壁面
３  床面
４  天井
５  係止材
５ａ  吊下材
５ｂ  天井野縁
６  天井化粧板
６ａ  下面
７  補助固定板
７ａ  下面
８ａ  第一の固定具
８ｂ  第二の固定具
８ｃ  第三の固定具
１０  桟材
１１  化粧材
１２  固定具
Ｑ  スペース
Ｑ１  スペース
【図１】
0004508101.tif 000002
【図２】
0004508101.tif 000003
【図３】
0004508101.tif 000004